(57)【要約】  発光画素と、発光画素を電流により駆動する駆動トランジスタとを備える表示装置の製造方法は、表示装置を点灯させる点灯ステップ（Ｓ１）と、点灯ステップの後、表示装置を非点灯状態とする非点灯ステップ（Ｓ２）と、非点灯状態で表示装置を所定時間放置する所定時間放置ステップ（Ｓ３）と、前記放置ステップの後、表示装置を再度点灯させる点灯ステップ（Ｓ４）と、前記点灯ステップの開始時に、前記表示装置の輝度測定を開始する輝度測定ステップ（Ｓ５）と、を有する。
2015128921.tif 000002
【特許請求の範囲】
【請求項１】
発光画素と、前記発光画素を電流により駆動する駆動トランジスタとを備える表示装置の製造方法であって、
前記表示装置を点灯させる点灯ステップと、
前記点灯ステップの後、前記表示装置を非点灯状態とする非点灯ステップと、
前記非点灯状態で前記表示装置を所定時間放置する放置ステップと、
前記放置ステップの後、前記表示装置を再度点灯させる再点灯ステップと、
前記再点灯ステップの開始時に、前記表示装置の輝度を測定する測定ステップと、を有する
表示装置の製造方法。
【請求項２】
前記所定時間は、前記表示装置が点灯状態から消灯状態に変化したときから、前記駆動トランジスタの閾値電圧シフトの回復挙動が飽和するまでの時間以上である
請求項１に記載の表示装置の製造方法。
【請求項３】
前記所定時間は、５分以上である
請求項２に記載の表示装置の製造方法。
【請求項４】
前記表示装置の製造方法は、さらに
前記表示装置が点灯状態から非点灯状態に変化したときから、前記駆動トランジスタの閾値電圧シフトの回復挙動が飽和するまでの時間を計測し、計測した時間よりも長い時間を前記所定時間と決定する決定ステップを有する
請求項１〜３の何れか１項に記載の表示装置の製造方法。
【発明の詳細な説明】
【技術分野】
【０００１】
本開示は、発光素子を発光させるための駆動トランジスタを備える表示装置に関する。
【背景技術】
【０００２】
近年、液晶ディスプレイに代わる次世代のフラットパネルディスプレイの一つとして、有機ＥＬ（Ｅｌｅｃｔｒｏ  Ｌｕｍｉｎｅｓｃｅｎｃｅ）を利用した有機ＥＬディスプレイが注目されている。有機ＥＬディスプレイ等のアクティブマトリクス方式の表示装置には、駆動トランジスタとして薄膜トランジスタ（ＴＦＴ：Ｔｈｉｎ  Ｆｉｌｍ  Ｔｒａｎｓｉｓｔｏｒ）が用いられる。
【先行技術文献】
【特許文献】
【０００３】
【特許文献１】特開２００９−１０４１０４号公報
【発明の概要】
【発明が解決しようとする課題】
【０００４】
有機ＥＬディスプレイなど、駆動トランジスタを備える表示装置の製造過程においては、例えば寿命特性の測定を行う場合があり、具体的には輝度の経時変化を測定するということが行われる。【０００５】
しかしながら従来、この輝度の測定においては、得られる輝度データが、輝度を測定する直前までの点灯状態と輝度を測定するタイミングとに大きく影響を受けてしまう、という課題があった。【０００６】
本開示は上述に鑑みてなされたものであり、輝度測定において、その直前までの点灯状態と輝度を測定するタイミングとに影響を受けないようにし、もって、輝度測定の信頼性を向上させる表示装置の駆動方法を提供する。
【課題を解決するための手段】
【０００７】
上記目的を実現するために本開示における、発光画素と、前記発光画素を電流により駆動する駆動トランジスタとを備える表示装置の製造方法は、前記表示装置を点灯させる点灯ステップと、前記点灯ステップの後、前記表示装置を非点灯状態とする非点灯ステップと、前記非点灯状態で前記表示装置を所定時間放置する放置ステップと、前記放置ステップの後、前記表示装置を再度点灯させる再点灯ステップと、前記再点灯ステップの開始時に、前記表示装置の輝度を測定する測定ステップと有する。
【発明の効果】
【０００８】
本開示によれば、輝度を測定する際、その直前までの点灯状態と輝度を測定するタイミングとに影響を受けないようにすることができ、もって、駆動トランジスタを備える表示装置の製造方法に対し、輝度測定の信頼性の向上を実現することができる。
【図面の簡単な説明】
【０００９】
【図１】図１は、駆動トランジスタを備える表示装置の一例である、有機ＥＬ表示パネルを備えた有機ＥＬ表示装置の機能構成を示すブロック図である。
【図２】図２は、有機ＥＬ素子を有する発光画素の回路構成図の一例を示す図である。
【図３】図３は、発光画素の構造の一例を概略的に示す断面図である。
【図４】図４は、駆動トランジスタのゲート−ソース間に印加されるゲート−ソース間電圧Ｖｇｓと、ドレイン−ソース間を流れる電流Ｉｄｓとの関係の概要を示す図である。
【図５】図５は、ストレス印加の時間と閾値電圧シフト量ΔＶｔｈとのモデル化された関係を示す図である。
【図６】図６は、第１回目のストレス印加工程におけるＴＦＴの伝達特性の経時変化を示す図である。
【図７】図７は、第１回目の放置工程におけるＴＦＴの伝達特性の経時変化を示す図である。
【図８】図８は、第２回目のストレス印加工程におけるＴＦＴの伝達特性の経時変化を示す図である。
【図９】図９は、第２回目の放置工程におけるＴＦＴの伝達特性の経時変化を示す図である。
【図１０】図１０は、第３回目のストレス印加工程におけるＴＦＴの伝達特性の経時変化を示す図である。
【図１１】図１１は、ストレス印加工程と放置工程とを繰り返したときの閾値電圧シフトの経時変化を示す図である。
【図１２】図１２は、輝度の経時変化を示す図である。
【図１３】図１３は、輝度回復の状態を示す図である。
【図１４】図１４は、一実施の形態による駆動トランジスタを備える表示装置の製造方法を示すフローチャートを示す図である。
【発明を実施するための形態】
【００１０】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１１】
なお、発明者は、当業者が本開示を十分に理解するために添付図面および以下の説明を提供するのであって、これらによって請求の範囲に記載の主題を限定することを意図するものではない。
【００１２】
以下では、本開示の一実施の形態による、駆動トランジスタを備える表示装置の製造方法について、ＥＬ表示装置を例に図面を用いて説明する。
【００１３】
［１．表示装置の概要］
図１は、駆動トランジスタを備える表示装置の一例である、有機ＥＬ表示パネルを備えた有機ＥＬ表示装置の機能構成を示すブロック図である。
【００１４】
同図に示すように、有機ＥＬ表示装置２１０は、有機ＥＬ表示パネル２００、データ線駆動回路２１３、走査線駆動回路２１４、制御部２１１、メモリ２１２、を備える。
【００１５】
有機ＥＬ表示パネル２００には、ドライバ装置としてのデータ線駆動回路２１３、および、走査線駆動回路２１４が接続され、ドライバ装置から入力された信号（輝度信号、走査信号）に基づいてマトリクス状に配置された微小な発光画素２１５のそれぞれの発光量を制御して文字や画像（動画含む）を表示させることができる装置である。
【００１６】
制御部２１１は、データ線駆動回路２１３、走査線駆動回路２１４、メモリ２１２、の制御、具体的に例えば、データ線駆動回路２１３から出力される信号電圧を出力するタイミング、および、走査線駆動回路２１４から出力される走査信号の出力タイミングの制御、などを行う。
【００１７】
また、制御部２１１は、外部から入力される映像信号を変換して発光画素の発光を決定する信号電圧にする処理を行い、メモリ２１２に書き込まれた補正データを読み出し、外部から入力された映像信号に基づいた信号電圧を、その補正データに基づいて補正して、走査順にデータ線駆動回路２１３へと出力する。
【００１８】
メモリ２１２には、各発光画素２１５の駆動トランジスタ（後述）の特性及び累積ストレスなどの補正データが記憶されている。
【００１９】
データ線駆動回路２１３は、各データ線へ、信号電圧を出力することにより、映像信号に対応した発光画素の発光を実現する回路装置であり、いわゆるドライバ装置の一つである。
【００２０】
走査線駆動回路２１４は、各走査線へ走査信号を出力することにより、発光画素の有する回路素子を所定の駆動タイミングで駆動する回路装置であり、いわゆるドライバ装置の一つである。
【００２１】
有機ＥＬ表示パネル２００の表示領域２０１は、発光画素２１５がマトリクス状に配置された領域であり、複数の発光画素２１５のそれぞれは、データ線駆動回路２１３からの輝度信号、及び、走査線駆動回路２１４からの走査信号に応じて発光する。
【００２２】
図２は、有機ＥＬ素子を有する発光画素の回路構成図の一例を示す図である。
【００２３】
同図に記載された発光画素２１５は、有機ＥＬ素子２１６と、駆動トランジスタ２１７と、選択トランジスタ２１８と、コンデンサ２１９とを備える。マトリクス状に配置された発光画素２１５の列ごとにデータ線２３１が配置され、発光画素２１５の行ごとに走査線２４１が配置されている。また、全ての発光画素２１５に共通して正電源線２５１及び負電源線２５２が配置されている。選択トランジスタ２１８のドレイン電極はデータ線２３１に、選択トランジスタ２１８のゲート電極は走査線２４１に、さらに、選択トランジスタ２１８のソース電極は、コンデンサ２１９及び駆動トランジスタ２１７のゲート電極に接続されている。また、駆動トランジスタ２１７のドレイン電極は正電源線２５１に接続され、ソース電極は有機ＥＬ素子２１６のアノードに接続されている。
【００２４】
図３は、発光画素の構造の一例を概略的に示す断面図である。
【００２５】
同図に記載された発光画素２１５は、基板２０２と、駆動回路層３０１と、発光層３０２と、透明封止膜３１０とを備える。
【００２６】
基板２０２は、複数の発光画素２１５が行列状に配置される板状の部材であり、例えば、ガラス基板である。なお、基板２０２は、樹脂からなるフレキシブル基板などを用いることも可能である。基板２０２は、駆動回路層３０１とともに、薄膜トランジスタ（ＴＦＴ）も表面に形成される。なお、図３に示したトップエミッション構造の場合には、基板２０２は透明である必要はないので、非透明の基板、例えば、シリコン基板を用いることもできる。
【００２７】
駆動回路層３０１は、基板２０２の上に形成された駆動トランジスタ（図２での２１７）と、コンデンサ（図２での２１９）と、選択トランジスタ（図２での２１８）とを備える。駆動回路層３０１は、平坦化膜により、その上面の平担性が確保されている。
【００２８】
発光層３０２は、有機ＥＬ素子２１６を構成する層であり、陽極３６１と、正孔注入層３６２と、正孔輸送層３６３と、有機発光層３６４と、バンク層３６５と、電子注入層３６６と、透明陰極３６７とを備える。
【００２９】
図３に示す発光画素２１５は、トップエミッション構造であり、発光層３０２に電圧を印加すると、有機発光層３６４で光が生じ、透明陰極３６７及び透明封止膜３１０を通じて光を上方に出射する。また、有機発光層３６４で生じた光のうち下方に向かった光は、陽極３６１で反射され、透明陰極３６７及び透明封止膜３１０を通じて上方に出射する。
【００３０】
陽極３６１は、駆動回路層３０１の平坦化膜の表面上に積層され、透明陰極３６７に対して正の電圧を発光層３０２に印加する電極である。陽極３６１を構成する陽極材料としては、例えば、反射率の高い金属であるＡｌ、Ａｇ、またはそれらの合金が好ましい。また、陽極３６１の厚さは、例えば、１００〜３００ｎｍである。
【００３１】
正孔注入層３６２は、陽極３６１の表面上に形成され、正孔を安定的に、又は正孔の生成を補助して、有機発光層３６４へ正孔を注入する機能を有する。これにより、発光層３０２の駆動電圧が低電圧化され、正孔注入の安定化により素子が長寿命化される。正孔注入層３６２の材料としては、例えばＰＥＤＯＴ（ポリエチレンジオキシチオフェン）などを用いることができる。また、正孔注入層３６２の膜厚は、例えば、１０ｎｍ〜１００ｎｍ程度にすることが好ましい。
【００３２】
正孔輸送層３６３は、正孔注入層３６２の表面上に形成され、正孔注入層３６２から注入された正孔を有機発光層３６４内へ効率良く輸送し、有機発光層３６４と正孔注入層３６２との界面での励起子の失活防止をし、さらには電子をブロックする機能を有する。正孔輸送層３６３としては、例えば、生じた正孔を分子間の電荷移動反応により伝達する性質を有する有機高分子材料であり、例えば、トリフェルアミン、ポリアニリンなどが挙げられる。また、正孔輸送層３６３の厚さは、例えば、５〜５０ｎｍ程度である。
【００３３】
なお、正孔輸送層３６３は、その隣接層である正孔注入層３６２や有機発光層３６４の材料により、省略される場合がある。
【００３４】
有機発光層３６４は、正孔輸送層３６３の表面上に形成され、正孔と電子が注入され再結合されることにより励起状態が生成され発光する機能を有する。有機発光層３６４としては、低分子有機材料だけでなく、インクジェットやスピンコートのような湿式製膜法で製膜できる発光性の高分子有機材料も適用される。高分子有機材料の特徴としては、デバイス構造が簡単であること、膜の信頼性に優れ、低電圧駆動のデバイスであることも挙げることができる。芳香環または縮合環のような共役系を持った高分子あるいはπ共役系高分子は蛍光性を有することから、有機発光層３６４を構成する高分子有機材料として用いることができる。有機発光層３６４を構成する高分子発光材料としては、例えば、ポリフェニレンビニレン（ＰＰＶ）またはその誘導体（ＰＰＶ誘導体）、ポリフルオレン（ＰＦＯ）またはその誘導体（ＰＦＯ誘導体）、ポリスピロフルオレン誘導体などを挙げることができる。また、ポリチオフェンまたはその誘導体を用いることも可能である。
【００３５】
バンク層３６５は、駆動回路層３０１または陽極３６１の表面上に形成され、湿式製膜法を用いて形成される正孔輸送層３６３及び有機発光層３６４を所定の領域に形成するバンクとしての機能を有する。バンク層３６５に用いられる材料は、無機物質および有機物質のいずれであってもよいが、有機物質の方が、一般的に、撥水性が高いので、より好ましく用いることができる。このような材料の例としては、ポリイミド、ポリアクリルなどの樹脂が挙げられる。バンク層３６５の厚さは、例えば、１００〜３０００ｎｍ程度である。
【００３６】
電子注入層３６６は、有機発光層３６４の上に形成され、有機発光層３６４への電子注入の障壁を低減し発光層３０２の駆動電圧を低電圧化すること、励起子失活を抑制する機能を有する。これにより、電子注入を安定化し素子を長寿命化すること、透明陰極３６７との密着を強化し発光面の均一性を向上させ素子欠陥を減少させることが可能となる。電子注入層３６６は、特に限定されるものではないが、好ましくはバリウム、アルミニウム、フタロシアニン、フッ化リチウム、さらに、バリウム−アルミニウム積層体などからなる。電子注入層３６６の厚さは、例えば、２〜５０ｎｍ程度である。
【００３７】
透明陰極３６７は、電子注入層３６６の表面上に積層され、陽極３６１に対して負の電圧を発光層３０２に印加し、電子を素子内（特に有機発光層３６４）に注入する機能を有する。透明陰極３６７としては、特に限定されるものではないが、透過率の高い物質および構造を用いることが好ましい。これにより、発光効率が高いトップエミッション有機ＥＬ素子を実現することができる。透明陰極３６７の構成としては、特に限定されるものではないが、金属酸化物層が用いられる。この金属酸化物層としては、特に限定されるものではないが、インジウム錫酸化物（以下、ＩＴＯと記す）、あるいはインジウム亜鉛酸化物（以下、ＩＺＯと記す）からなる層が用いられる。また、透明陰極３６７の厚さは、例えば、５〜２００ｎｍ程度である。
【００３８】
透明封止膜３１０は、透明陰極３６７の表面上に形成され、水分から素子を保護する機能を有する。また、透明封止膜３１０は、透明であることが要求される。透明封止膜３１０は、例えば、ＳｉＮ、ＳｉＯＮ、または有機膜からなる。また、透明封止膜３１０の厚さは、例えば、２０〜５０００ｎｍ程度である。
【００３９】
以上説明した発光画素２１５の構造により、有機ＥＬ表示装置２１０は、アクティブマトリクス型の表示装置としての機能を有する。
【００４０】
上記構成において、走査線２４１に走査信号が入力され、選択トランジスタ２１８をオン状態にすると、データ線２３１を介して供給された信号電圧に対応した電圧がコンデンサ２１９に書き込まれる。そして、コンデンサ２１９に書き込まれた信号電圧に対応した保持電圧は、１フレーム期間を通じて保持され、この保持電圧により、駆動トランジスタ２１７のコンダクタンスがアナログ的に変化し、発光階調に対応した駆動電流が有機ＥＬ素子２１６のアノードに供給される。さらに、有機ＥＬ素子２１６のアノードに供給された駆動電流は、有機ＥＬ素子２１６のカソードへと流れる。これにより、有機ＥＬ素子２１６が発光し画像として表示される。このとき、有機ＥＬ素子２１６のアノードには、信号電圧に対応した順バイアス電圧が印加されていることになる。
【００４１】
なお、上述した発光画素の回路構成は、図３に記載された回路構成に限定されない。選択トランジスタ２１８、駆動トランジスタ２１７は、信号電圧に応じた駆動電流を有機ＥＬ素子２１６に流すために必要な回路構成要素であるが、上述した形態に限定されない。また、上述した回路構成要素に、別の回路構成要素が付加される場合も、本開示に係る有機ＥＬ表示装置の発光画素回路に含まれる。
【００４２】
〔２．本開示の基礎となる知見〕
以下、本開示の基礎となる知見について説明する。
【００４３】
有機ＥＬ表示装置の発光画素に含まれる駆動トランジスタの閾値電圧について説明する。ＴＦＴからなる駆動トランジスタにおいては、電圧を印加すると閾値電圧が経時的に変化する。すなわち、駆動トランジスタのゲート電極にバイアスが印加されると、ゲート絶縁膜に、正バイアス印加時には電子が注入され、負バイアス印加時にはホールが注入されるため、正又は負の閾値電圧シフトが起こる。
【００４４】
図４は、駆動トランジスタのゲート−ソース間に印加されるゲート−ソース間電圧Ｖｇｓ（映像信号電圧）と、ドレイン−ソース間を流れる電流Ｉｄｓ（有機ＥＬへの供給電流）との関係（伝達特性）の概要を示すグラフである。図４において、破線が使用開始時における駆動トランジスタの伝達特性を示し、実線が電圧印加により閾値電圧が変化した後の伝達特性を示す。図４に示されるように、ＴＦＴでは、ゲート−ソース間への電圧印加により、閾値電圧がＶｔｈ０からＶｔｈにシフトする。これに伴い、使用開始時に、目標電流を得るために必要とされた印加電圧を、閾値電圧シフト後に印加しても、目標電流を得られず、有機ＥＬに所望の大きさの電流を供給できない。
【００４５】
そこで、本開示の基礎となる知見に係る有機ＥＬ表示装置においては、閾値電圧シフトによる有機ＥＬの輝度変化の影響を抑制するために、ゲート−ソース間電圧Ｖｇｓが、閾値電圧シフト量ΔＶｔｈだけオフセットされる。
【００４６】
ここで、ゲート−ソース間電圧Ｖｇｓのオフセット量は、ゲート−ソース間電圧Ｖｇｓの履歴から計算された駆動トランジスタへの累積ストレス量に基づいて決定される。
【００４７】
例えば、駆動トランジスタに所定のストレス（ゲート−ソース間電圧）を印加した場合の、印加時間と閾値電圧シフト量ΔＶｔｈとの関係を、実験等により求めて、累積ストレス量に対する閾値電圧シフト量ΔＶｔｈを予測するモデルを作成する。
【００４８】
図５は、ストレス印加の時間と閾値電圧シフト量ΔＶｔｈとのモデル化された関係を示すグラフである。図５に示されるようなモデルを用いて、累積ストレス量に対応する閾値電圧シフト量ΔＶｔｈを補償するようにゲート−ソース間電圧Ｖｇｓのオフセット量が決定される。
【００４９】
しかしながら、実際のＴＦＴでは、電圧が印加されない場合に閾値電圧シフトが部分的に回復する。すなわち、ＴＦＴのゲートのバイアスが０Ｖの状態になると、ゲート絶縁膜に注入された電子又はホールが、環境温度の熱エネルギーによりゲート絶縁膜から脱出し、閾値電圧シフトの回復が起こる。そのため、累積ストレス量に基づいて決定されるオフセット量と、閾値電圧シフト量ΔＶｔｈとの間に誤差が生じ、その誤差が時間経過とともに蓄積される。
【００５０】
ここで、上述した閾値電圧シフトの回復に対し、本願発明者らが行った実験結果について説明する。本実験においては、ＴＦＴにストレスとして２０Ｖのゲート−ソース間電圧を３０分間印加するストレス印加工程と、ＴＦＴのゲート−ソース間電圧を０Ｖとして３時間放置する放置工程とが繰り返された。ストレス印加工程においては、ゲート電位Ｖｇが２０Ｖ、ソース電位Ｖｓ及びドレイン電位Ｖｄが０Ｖとされ、放置工程においては、ゲート電位Ｖｇ、ソース電位Ｖｓ及びドレイン電位Ｖｄが０Ｖとされた。実験には、膜厚２２０ｎｍのシリコン窒化物膜及び膜厚５０ｎｍのシリコン酸化物膜からなるゲート絶縁膜と、膜厚９０ｎｍの酸化物半導体からなる半導体層とを備えるＴＦＴが用いられた。また、本実験における環境温度は４５℃に維持された。
【００５１】
上記実験の結果を図６〜図１１を用いて説明する。
【００５２】
図６は、第１回目のストレス印加工程におけるＴＦＴの伝達特性の経時変化を示す図である。図中の黒矢印は時間の経過を示す（以下の図７〜図１０についても同様）。図６から、伝達特性を表す曲線が、経時的に右側にシフトしていること、すなわち、ＴＦＴの閾値電圧が正方向にシフトしていることが確認される。
【００５３】
図７は、第１回目のストレス印加工程後の第１回目の放置工程におけるＴＦＴの伝達特性の経時変化を示す図である。図７から、伝達特性を表す曲線が、経時的に左側にシフトしていること、すなわち、ＴＦＴの閾値電圧が負方向にシフトしていることが確認される。
【００５４】
図８、図９および図１０は、それぞれ、第２回目のストレス印加工程、第２回目の放置工程及び第３回目のストレス印加工程におけるＴＦＴの伝達特性の経時変化を示す図である。図８、図９および図１０から、図６及び図７と同様、ストレス印加工程においては、ＴＦＴの閾値電圧が正方向にシフトしていること、及び、放置工程においては、閾値電圧が負方向にシフトしていること、すなわち、閾値電圧が回復していることが確認される。      
【００５５】
図１１は、閾値電圧シフトの経時変化を示すグラフである。横軸の０〜０．５の期間は第１回目のストレス印加工程に、０．５〜３．５の期間は第１回目の放置工程に対応する。また、３．５〜４の期間は第２回目のストレス印加工程に、４〜７の期間は第２回目の放置工程に対応する。７〜７．５の期間は第３回目のストレス印加工程に対応する。図１１に示されるように、ストレス印加工程においては、閾値電圧が正方向にシフトし、放置工程においては、閾値電圧シフトが一部回復して負方向にシフトしていることが確認される。
【００５６】
また図１２は、上述した特性のＴＦＴを備える有機ＥＬディスプレイの輝度の経時変化を示す図である。これは、輝度測定箇所を６０分毎に点灯と黒表示とを２回繰り返した時の輝度推移を確認したものである。図１２に示されるとおり、連続点灯に伴い輝度が徐々に低下してくるが、その後、黒表示（非点灯）とし、都度、輝度測定を行うと、輝度の回復が見られることが判る。なお、図１２における黒表示期間の輝度変化率は、黒表示を点灯状態にした時点の輝度測定を、異なる時点で異なる個所で行った複数の測定結果に基づいている。
【００５７】
図１３は、図１２における開始５０分後から７０分後までの輝度推移を拡大したものである。図１３に示されるとおり、輝度回復は、５分程度で飽和するということが判る。
【００５８】
すなわち以上より、連続点灯を行い、その後、一旦、非点灯期間を挟み、再度、点灯を行おうとすると、その再点灯のタイミング如何で、非点灯期間での輝度回復状態が異なることから、再点灯開始時の輝度が異なってしまう、ということが判る。そしてその結果、例えば、表示装置を製造する過程で、寿命特性の測定、具体的には輝度の経時変化を測定する工程が組み込まれる場合があるが、この場合、輝度を測定するタイミングにより輝度のデータが影響を受けてしまうこととなるため、取得した輝度のデータの信頼性が低下するという問題となってしまう場合がある。
【００５９】
例えば、有機ＥＬディスプレイの寿命特性の確認検査の工程では、ディスプレイを全面点灯させるという状態を一定期間継続させる、或いは、画面を小領域に区分し、この小領域のうちの複数箇所を同時に点灯させるという状態を一定期間継続させる、ということを行い、その後、ある時点における輝度を確認する、ということが行われる。
【００６０】
ここで、小領域の複数箇所を点灯させた場合における輝度の確認は、同時点灯させた複数の小領域のうち、輝度測定を行う一つの小領域の箇所のみ点灯させ、その他の同時に点灯させていた小領域の箇所は、黒表示（非点灯）、すなわち、ＴＦＴのゲートのバイアスを０Ｖの状態として行われる。
【００６１】
従って、複数箇所全ての小領域の輝度を確認しようとすると、その順番によって、黒表示での放置時間が異なることとなるため、小領域毎に輝度の回復状態が異なってしまい、その結果、得られる輝度のデータの信頼性が低下するという問題となってしまう場合がある。
【００６２】
また、ディスプレイを全面点灯させた場合であっても、輝度の確認の際、そのタイミング如何により黒表示での放置時間が異なることとなるため、やはり同様の問題が発生してしまう場合がある。
【００６３】
これら問題の原因は、上述したように、駆動トランジスタは通電時のゲート−ソース間電圧などの電圧ストレスによりその閾値電圧がシフトしてしまい、その結果、有機ＥＬへの供給電流量が変動してしまうのであるが、このシフト量はゲート−ソース間電圧により、正方向になったり負方向となったりする。このことから、表示装置の輝度測定のタイミング、輝度測定までの履歴、により、輝度の値が異なってしまう、というものである。
【００６４】
［３．本開示の表示装置の製造方法］
そこで、本開示の一実施の形態による駆動トランジスタを備える表示装置の製造方法は、図１４にフローチャートで示すような輝度測定工程を、全数、もしくは抜き取りで行うこととする。
【００６５】
すなわち、輝度測定箇所が、輝度測定の直前に、一瞬でも点灯状態であれば（点灯ステップ：Ｓ１）、一旦、非点灯状態（黒表示ステップ：Ｓ２）にする。
【００６６】
そして、駆動トランジスタにかかる負荷が最も小さい表示状態（黒表示）で、駆動トランジスタの電流回復挙動（つまり閾値電圧シフトの回復挙動）を飽和させるための所定時間以上、放置（所定時間放置ステップ：Ｓ３）した後、輝度測定箇所を点灯（測定箇所点灯ステップ：Ｓ４）し、その後、輝度測定を直ちに行う（輝度測定ステップ：Ｓ５）。直ちに行うのは、測定箇所点灯ステップＳ４での点灯の影響を極小とするためである。
【００６７】
さらに、続けて輝度測定を行う場合で、点灯ステップＳ１が有機ＥＬディスプレイの全面点灯の場合、或いは、点灯ステップＳ１の状態に関わらず、同一箇所測定の場合（ケースＣ１）には、輝度測定ステップＳ５の後、黒表示ステップＳ２に戻り、Ｓ２からＳ５までのステップに従い、輝度測定を行う。また、点灯ステップＳ１が複数箇所の小領域同時点灯であり、且つ、測定箇所を変更する場合（ケースＣ２）、輝度測定ステップＳ５の後、測定箇所点灯ステップＳ４に戻り、直ちに輝度測定ステップＳ５での輝度測定を行う。
【００６８】
ここで、所定時間放置ステップＳ３の所定時間は、パネルの構造・材料によって個々の値をとるので、事前に適宜、確認（つまり計測）の上、設定すればよい。
【００６９】
例えば、図１２に示す特性の場合、黒表示期間での輝度回復が５分で飽和していることが判るため、所定時間放置ステップ（Ｓ３）は５分以上放置と決定すればよい。
【００７０】
［４．効果等］
上述のように、輝度測定において、その直前までの点灯状態と輝度を測定するタイミングとに影響を受けないようにすることができ、もって、輝度測定の信頼性を向上することができる。具体的には、所定時間放置ステップ（Ｓ３）を導入することで、駆動トランジスタの電流回復挙動（つまり閾値電圧シフトの回復挙動）を飽和させた状態とすることができ、その上で輝度測定を行うので、統一性のとれた輝度測定を行うことが可能となり、もって、高い信頼性の表示装置を製造することが可能となる。
【００７１】
このように本開示の一態様における表示装置の製造方法は、発光画素と、前記発光画素を電流により駆動する駆動トランジスタとを備える表示装置の製造方法であって、前記表示装置を点灯させる点灯ステップと、前記点灯ステップの後、前記表示装置を非点灯状態とする非点灯ステップと、前記非点灯状態で前記表示装置を所定時間放置する放置ステップと、前記放置ステップの後、前記表示装置を再度点灯させる再点灯ステップと、前記再点灯ステップの開始時に、前記表示装置の輝度を測定する測定ステップとを有する。
【００７２】
この構成によれば、駆動トランジスタの電流回復挙動（つまり閾値電圧シフトの回復挙動）を飽和させた状態とすることができ、その上で輝度測定を行うので、輝度測定の信頼性を高めることができる。
【００７３】
ここで、前記所定時間は、前記表示装置が点灯状態から消灯状態に変化したときから、前記駆動トランジスタの閾値電圧シフトの回復挙動が飽和するまでの時間以上であってもよい。
【００７４】
ここで、前記所定時間は５分以上であってもよい。
【００７５】
ここで、前記表示装置の製造方法は、さらに、前記表示装置が点灯状態から非点灯状態に変化したときから、前記駆動トランジスタの閾値電圧シフトの回復挙動が飽和するまでの時間を計測し、計測した時間よりも長い時間を前記所定時間と決定する決定ステップを有していてもよい。
【００７６】
ここで、前記表示装置の製造方法において、１つ以上の表示画素を含む複数の小領域単位で各ステップを実行してもよい。
【００７７】
以上、表示装置の製造方法について、実施の形態に基づいて説明したが、本開示は、この実施の形態に限定されるものではない。本開示の趣旨を逸脱しない限り、当業者が思いつく各種変形を本実施の形態に施したものや、異なる実施の形態における構成要素を組み合わせて構築される形態も、一つまたは複数の態様の範囲内に含まれても良い。
【００７８】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００７９】
また、上述の実施の形態は、本開示における技術を例示するためのものであるから、請求の範囲またはその均等の範囲において種々の変更、置き換え、付加、省略などを行うことができる。
【産業上の利用可能性】
【００８０】
以上のように本開示は、有機ＥＬ表示装置など、駆動トランジスタを備える表示装置を製造する上で有用である。
【符号の説明】
【００８１】
２１０    有機ＥＬ表示装置
２１５    発光画素
２１６    有機ＥＬ素子
２１７    駆動トランジスタ
【図１】
2015128921.tif 000003
【図２】
2015128921.tif 000004
【図３】
2015128921.tif 000005
【図４】
2015128921.tif 000006
【図５】
2015128921.tif 000007
【図６】
2015128921.tif 000008
【図７】
2015128921.tif 000009
【図８】
2015128921.tif 000010
【図９】
2015128921.tif 000011
【図１０】
2015128921.tif 000012
【図１１】
2015128921.tif 000013
【図１２】
2015128921.tif 000014
【図１３】
2015128921.tif 000015
【図１４】
2015128921.tif 000016
【国際調査報告】
2015128921.tif 000017
2015128921.tif 000018
2015128921.tif 000019
2015128921.tif 000020